(57)【要約】      （修正有）【課題】標示内容の切り替えを容易に行うことができるとともに、保管・運搬時に場所を取らず、標示内容の一部が散逸する恐れが無く、誘導灯や旗を手にした誘導員の腰に縛りつけて使用することもできる折り畳み式情報標示具を提供する。【解決手段】複数の面で構成される表示面１２を複数備え、複数の表示面１２、・・・を、各表示面を構成する一の構成面の裏面が他の表示面２１、・・・の一の構成面をなすようにして連設し、各表示面の構成面を隣接する構成面側に重ね合わせて各表示面が内側となるように折り畳み可能とし、表示面の折り畳み状態において対向する各面には、対向する各面を係脱可能に係止するための係止部材１２１，２１１・・・を設けて折り畳み式情報標示具を構成する。折り畳み状態における背面には誘導員の腰に縛りつけるための紐を取り付けておく。【選択図】図１
0003195234.tif 000002
【実用新案登録請求の範囲】
【請求項１】
情報が表示された複数の面で構成される表示面を複数備え、
前記複数の表示面は、各表示面を構成する一の構成面の裏面が他の表示面の一の構成面をなすようにして連設され、各表示面の構成面を隣接する構成面側に重ね合わせて各表示面が内側となるように折り畳み可能とされ、前記表示面の折り畳み状態において対向する各面には、前記対向する各面を係脱可能に係止するための係止部材が設けられていることを特徴とする折り畳み式情報標示具。
【請求項２】
請求項１に記載の折り畳み式標示具において、前記折り畳み状態における背面には、装着対象へ装着するための装着部材が取り付けられていることを特徴とする折り畳み式情報標示具。
【請求項３】
請求項２に記載の折り畳み式標示具において、前記装着部材は誘導員の腰やスタンド式看板等に縛りつけるための紐であることを特徴とする折り畳み式情報標示具。
【請求項４】
請求項２又は３に記載の折り畳み式情報標示具において、前記装着部材は表示面を展開させた状態において背面を構成する各面に設けられていることを特徴とする折り畳み式情報標示具。
【考案の詳細な説明】
【技術分野】
【０００１】
この考案は、工事案内、誘導案内、注意喚起などの目的で各種情報を標示するための情報標示具に関する。
【背景技術】
【０００２】
従来より、工事現場などにおいて歩行者や通行車両などに対する工事案内、誘導案内、注意喚起などを行う場合、必要な情報を標示したスタンド式の看板等を工事現場の近辺に設置したり、誘導灯や旗などを持たせた誘導員を工事現場に配置したりして案内、誘導させることが行なわれている。
【０００３】
ここで、スタンド式看板などの標示具を用いる場合には、設置される工事現場等における工事内容に応じて標示すべき情報の内容が異なるので、通常、事前にその内容を確認した上で目的に応じた標示内容の看板等を用意し、工事現場に持ち込んで設置している。この場合、誤って工事内容と異なる内容を標示する看板を用意してしまった場合には、その場で適切な標示内容に変更することができない。
【０００４】
この点、特許文献１には、手旗形状を模した標示板を着脱可能に備えた人形型の標識体が提案されている。この発明によれば、異なる情報が標示された複数の標示板を予め用意しておくことで、用途に応じてこれらを適宜取り替えて使用することができるので、実際の使用現場においてある程度臨機応変に標示内容を変更することができる。
【０００５】
しかしながら、この発明の複数の標示板はそれぞれ別々に用意され、標識体に設けられた標示板支持部に標示板を抜き差しする形で取り替える構造となっているので、標示板を取り替える際には、必要な標示板を持参した上で不要な標示板を標示板支持部から抜き出して差し替えねばならず、標示板の取り替え作業に手間がかかる問題がある。
また、標示板は、ある程度距離が離れた位置からも視認でき、多くの情報を標示できるようにするためにある程度の大きさが要求されるところ、このような標示板が別々に存在すると、保管や運搬する際に嵩張って場所を取るばかりでなく、紛失してしまうおそれもある。
【０００６】
他方、誘導員が案内や誘導を行う場合には、誘導灯や旗などを用いた合図により情報伝達が行われているため、誘導員の意図が正しく歩行者、通行車両に伝わらない場合がある。そのため、歩行者や通行車両の運転手が不足する情報を得ようと立ち止まったり車両を止めたりして誘導員と言葉を交わす必要が生じて無用な渋滞を引き起こしたり不慮の事故を起こしたりする危険性もある。
【先行技術文献】
【特許文献】
【０００７】
【特許文献１】特開平９−３１６８３２号公報
【考案の開示】
【考案が解決しようとする課題】
【０００８】
この考案は、標示内容の切り替えを容易に行うことができ、保管・運搬時に場所を取らず、標示内容の一部が散逸するおそれのない情報標示具を提供することを第１の課題とし、更には、誘導灯や旗を手にした誘導員でも使用することができる情報標示具を提供することを第２の課題とする。
【課題を解決するための手段】
【０００９】
請求項１に記載の考案は、情報が表示された表示面を複数備え、前記複数の表示面を、各表示面を構成する一の構成面の裏面が他の表示面の一の構成面をなすようにして連設し、各表示面の構成面を隣接する構成面側に重ね合わせて各表示面が内側となるように折り畳み可能とし、前記表示面の折り畳み状態において対向する各面には、前記対向する各面を係脱可能に係止するための係止部材が設けられていることを特徴とする折り畳み式情報標示具である。
前記複数の表示面は、各表示面を構成する一の構成面の裏面が他の表示面の一の構成面をなすように連設され、各表示面の構成面を隣接する構成面側に重ね合わせて各表示面が内側となるように折り畳み可能なものとして設けられている。具体的には、各表示面を左右二つの面で構成し、右側の面の裏面が他の表示面の左側の面となる片側開きの冊子状に構成したり、各表示面を左右二つの面で構成し、右側の面の裏面が他の表示面の右側の面に、左側の面の裏面が他の表示面の左側の面となる交互開きのつづら折り状に構成したり、前記片側開きの冊子状に構成した各表示面の右側構成面の右側にさらに構成面を折り畳み可能に連設して各表示面を観音開き状に展開できるように構成したり、前記交互開きのつづら折り状に構成した各表示面の展開時における構成面の展開方向とは逆側の構成面の外側にさらに構成面を折り畳み可能に連設して各表示面を観音開き状に展開できるように構成したりする。また、各表示面は、薄板状の硬質素材で構成した各構成面を蝶番などの連結部材で連結して構成したり、紙やフィルムなどのシート状素材、あるいは布等の軟質素材を折り畳み可能に構成したりする。なお、この考案において「構成面」とは、前記各表示面を構成する個々の面をいう。
【００１０】
折り畳み状態において対向する各面に設ける係止部材としては、面ファスナー、マグネット、スナップボタン、フック、ボタン、紐、ゴム紐等を使用するが、各表示面の折り畳み状態を展開可能に保持することができる部材であればこれらに限られるものではない。
なお、この考案において「各面」とは、前記表示面を折り畳んだ際に形成される複数の面をいい、各表示面を構成する構成面だけでなく、この構成面の裏面をも含む概念である。
【００１１】
また、請求項２に記載の考案は、請求項１記載の折り畳み式標示具において、前記折り畳み状態における背面には、装着対象へ装着するための装着部材が取り付けられていることを特徴とする折り畳み式情報標示具である。なお、この考案において「背面」とは装着対象側に面する面をいう。装着部材としては、面ファスナー、マグネット、スナップボタン、フック、ボタン、紐、ゴム紐等使用するが、装着対象へ着脱可能に装着することができる部材であればこれらに限られるものではない。装着対象は、例えば、スタンド式看板や誘導員の衣服等である。また、装着部材は一の表示面を展開した状態において背面を構成する各面に設けてもよい。
【００１２】
また、請求項３に記載の考案は、請求項２に記載の折り畳み式標示具において、前記装着部材は誘導員の腰やスタンド式看板等に縛りつけるための紐であることを特徴とする折り畳み式情報標示具である。 
【００１３】
また、請求項４に記載の考案は、請求項２又は３に記載の折り畳み式情報標示具において、前記装着部材は表示面を展開させた状態において背面を構成する各面に設けられていることを特徴とする折り畳み式情報標示具である。
【考案の効果】
【００１４】
請求項１に記載の考案によれば、複数の表示面を備えた標示具が一体的に構成されているので、その中から表示したい表示面のみ係止部材による係止を解除して展開させつつ、他の表示面の折り畳み状態を係止部材によって保持することができる。すなわち、表示面の切り替えが係止部材の係脱操作で行なえるため標示内容の切替を容易に行うことができる。 また、不使用時には表示面を全て折り畳んだ状態で保持することができるので、保管時や運搬時に場所を取らず、一部の表示面が散逸してしまうおそれもない。
【００１５】
また、請求項２に記載の考案では、折り畳み状態における背面に装着対象へ装着するための装着部材を設けたので、スタンド式看板などの各種標示具や誘導員の衣服等の装着対象に標示具を装着することができる。
【００１６】
また、請求項３に記載の考案は、請求項２に記載の装着部材として紐を用いたので標示具を誘導員の腰に縛りつけたり、スタンド式看板に縛りつけたりして強固に固定できる。特に、誘導員の腰にエプロンのようにして固定した場合は、誘導員が歩行により移動する際にも標示具が落下したり外れたりしにくい利点を有する。
【００１７】
また、請求項４に記載の考案では、装着部材を一の表示面を展開した状態において背面を構成する各面に設けたので、一の表示面を展開させた状態で装着対象に装着することができ、一の表示面を定常的に展開して表示させたい場合に有用である。
【図面の簡単な説明】
【００１８】
【図１】第１の実施例に係る標示具の正面側斜視図である。
【図２】図１の標示具の背面側斜視図である。
【図３】図１の標示具の第１表示面を展開した状態図である。
【図４】図１の標示具の第２表示面を展開した状態図である。
【図５】図１の標示具をスタンド式看板に装着した状態図である。
【図６】図１の標示具を誘導員の衣服に装着した状態図である。
【図７】第２の実施例に係る標示具の正面側斜視図である。
【図８】図７の標示具の背面側斜視図である。
【図９】図７の標示具の第１表示面を展開した状態図である。
【図１０】図７の標示具の第２表示面を展開した状態図である。
【図１１】第３の実施例に係る標示具の正面側斜視図である。
【図１２】図１１の標示具の第１表示面を展開した状態図である。
【図１３】図１１の標示具の第２表示面を展開した状態図である。
【図１４】第４の実施例に係る標示具の正面側斜視図である。
【図１５】図１４の標示具の第１表示面を展開した状態図である。
【図１６】図１４の標示具の表示面を展開した状態図である。
【図１７】第５の実施例に係る標示具の正面側斜視図である。
【図１８】図１７の標示具を誘導員が着用した状態図である。
【考案を実施するための形態】
【００１９】
図１ないし図６は、この考案の折り畳み情報標示具の第１の実施例を示す図である。折り畳み式情報標示具Ｓは、第１表示面ないし第６表示面を備えている。各表示面１ないし６（添付図面においては第１表示面及び第２表示面を代表例として図示する。以下の実施例においても同じ。）は、各表示面の見開き状態において、左面１１（第１表示面）ないし６１(第６表示面）及び右面１２（第１表示面）ないし６２（第６表示面）で構成されている。
そして、各表示面１ないし６は、第１表示面の右面１２の裏面が第２表示面の右面２２に、第２表示面の左面２１が第３表示面の左面３１に、第３表示面の右面３２が第４表示面の右面４２に、第４表示面の左面４１が第５表示面５の左面５１に、第５表示面の右面５２が第６表示面の右面６２になるようにして連設されており、第１表示面の左面１１の裏面が表紙面Ｆに、第６表示面の左面６１の裏面が裏表紙面Ｒとなっている。
上記のように構成された各表示面１ないし６は、各表示面における左右面の境界線１ＣＬないし６ＣＬで谷折りにすることができ、各表示面の左面１１ないし６１と右面１２ないし６２とをそれぞれ重ね合わせることによって、全ての表示面を内側にしてつづら折り状に折り畳むことができるようになっている。
【００２０】
各表示面の左面１１ないし６１の左上角部と右面１２ないし６２の右上角部には、係止部材としての面ファスナー１１１ないし６１１及び１２１ないし６２１がそれぞれ設けられており、各表示面の左右面を重ね合わせて折り畳んだときに対向する面ファスナー同士を係止させることによって、折り畳み状態を保持できるようにしてある。
【００２１】
また、各表示面１ないし６の側縁には、各表示面に表示された情報の内容の一部が表示された表示タブ１Ｔないし６Ｔが左右交互にかつ高さを変えて連設されており、この表示タブを目印にして展開すると表示タブの内容が表示された表示面を展開することができる。
【００２２】
各表示面１ないし６を構成する各左面１１ないし６１及び各右面１２ないし６２にはそれぞれ情報の一部が表示してあり、各表示面をそれぞれ個別に展開して見開き状態にすると、左面と右面とで完結した情報が表示されるようにしてある。
【００２３】
裏表紙面Ｒには、スタンド式看板Ｋや誘導員の衣服Ｃなどの装着対象へ装着するための装着部材としての面ファスナーＲ１が４つ取り付けられている。また、表紙面Ｆの右上角部にも装着部材としての面ファスナーＦ１が取り付けられているが、この面ファスナーＦ１は、表示面を展開した状態で情報標示具Ｓを装着対象へ安定的に装着するための装着部材である。なお、表紙面Ｆは情報を表示することにより、表示面として使用することもできる。
【００２４】
この実施例において、折り畳み式情報標示具Ｓの各表示面１ないし６の素材には布を用いているが、紙やフィルムなどのシート状素材を用いることもでき、さらには、薄板状の硬質素材で構成した各構成面を蝶番など周知の連結部材で連結して構成することもできる。
【００２５】
図３はこの折り畳み式標示具Ｓの第１表示面を展開した状態を、図４は同じく第２表示面を展開した状態を、それぞれ示す図である。図１に示すつづら折りの折り畳み状態から、表紙面Ｆを左方へ展開することにより、第１表示面を表示することができる。第１表示面は左面１１及び右面１２で構成されており、左面１１の左上角部と右面１２の右上角部には、面ファスナー１１１，１２１がそれぞれ取り付けられている。そして、表示面１には「ＳＴＯＰ」、「止まってください」の文字が大きく表されており、表示面１の左側縁上部には、表示面１の表示内容を簡潔に示す「止まって」の文字が表示された表示タブ１Ｔが取り付けられている。表示タブ１Ｔにおける表示は、この実施例のように両面表示としてもよいが片面表示であってもよい。
【００２６】
第１表示面の展開状態において、他の表示面２ないし６は折り畳まれた状態のままであり、その折り畳み状態は、各表示面に設けられた面ファスナー２１１ないし６１１と２２１ないし６２１とがそれぞれ係合して固定されている（図においては各構成を分かりやすく表すため、各面を密着させていない。以下同じ。）ので、他の表示面２ないし６が、使用者の意図しないところで展開してしまうおそれがない。すなわち、表示させる必要のない表示面の折り畳み状態を保持しつつ、表示したい表示面だけを展開して表示することができる。 第３表示面及び第５表示面の構成は、表示面に表示される内容を除いて第１表示面と同様なので説明を省略する。
【００２７】
第２表示面を展開する場合には、図１に示すつづら折りの折り畳み状態から、表示タブ２Ｔを持って折り畳まれた状態の表示面１（表紙面Ｆ及び第２表示面の右面２２）を右方へ展開することにより、第２表示面を表示することができる。第２表示面は左面２１及び右面２２で構成されており、左面２１の左上角部と右面２２の右上角部には、面ファスナー２１１，２２１がそれぞれ取り付けられている。表示面２には「ＳＴＯＰ」、「止まってください」の文字が大きく描かれており、表示面２の右側縁上部には、表示面２の表示内容を簡潔に示す「止まって」の文字が表示された表示タブ２Ｔが取り付けられている。なお、表示タブ２Ｔにおける表示は表示タブ２の表裏両面になされているが、片面表示であってもよいことは表示タブ１Ｔと同様である。ここで、この実施例において、第２表示面は第１表示面と同じ内容の表示がなされている（第３表示面と第４表示面、第５表示面と第６表示面も同じ内容の表示である。）。これは、左右どちら側からも同じ内容の表示面を展開させることができるようにするためであるが、表示したい情報量を増やしたい場合には、各表示面の内容を異なるものとしてもよい。
【００２８】
第２表示面の展開状態において、表示面１は第２表示面の右面２２の裏側において折り畳まれて面ファスナー１１１，１２１で係合され、表示面３ないし６は表示面２の左面２１裏側において折り畳まれた状態のままであり、その折り畳み状態は、各表示面に設けられた面ファスナー３１１ないし６１１と３２１ないし６２１とがそれぞれ係合しているので、他の表示面１及び３ないし６が、使用者の意図しないところで展開してしまうおそれがない。 第２表示面、第４表示面の構成は、表示面に表示される内容を除いて第２表示面と同様なので説明は省略する。
【００２９】
図５は、この折り畳み式情報標示具Ｓをスタンド式看板Ｋに装着した状態を示す図である。つづら折り状に折り畳み可能なこの実施例の情報標示具Ｓにあっては、複数の表示面１ないし６の中から何れか一つの表示面を展開すると、必ず裏表紙面Ｒと表紙面Ｆとが背面を構成することとなる。そして、裏表紙面Ｒには４つの面ファスナーＲ１が設けられ、表紙面Ｆの右上角部にも面ファスナーＦ１が設けられているので、スタンド式看板Ｋの装着予定位置に、面ファスナーＲ１，Ｆ１と係合させることができる面ファスナーを設けておけば、これら面ファスナー同士を係合させることで情報標示具Ｓを任意の表示面を展開した状態でスタンド式看板Ｋに着脱可能に取り付けることができる。
また、異なる内容の表示面を表示させたい場合には、情報標示具Ｓを看板Ｋに取り付けたままの状態で、表示させたい表示面の面ファスナーによる係合を解いて展開するとともに、従前に展開されていた表示面を折り畳んで面ファスナーで係合することにより、ページをめくるような感覚で、容易にかつ確実に表示面を切り替えることができる。
なお、スタンド式看板Ｋが鉄製のものであれば、情報標示具Ｓの係合部材として面ファスナーの代わりにマグネットを用いることもできる。この場合、看板Ｋ側において特に係合部材を設けておく必要はない。
【００３０】
図６は、この折り畳み式情報標示具Ｓを誘導員の衣服Ｃに装着した状態を示す図である。情報標示具Ｓの裏表紙面Ｒには４つの面ファスナーＲ１が設けられているので、誘導員の衣服Ｃの胴体部分など装着予定位置に面ファスナーＲ１と係合可能な面ファスナーを設けておけば、これらの面ファスナーを係合させることで情報標示具Ｓを衣服Ｃに着脱可能に取り付けることができる。表示面を全て折り畳んだ状態で情報標示具Ｓを装着した誘導員は、必要に応じて表示させたい内容の表示面を展開して、歩行者や車両の運転手に情報を伝達することができる。そして、この実施例の情報標示具Ｓは左右交互に展開可能なつづら折り状に折り畳まれており、第１表示面と第２表示面、第３表示面と第４表示面、第５表示面と第６表示面の表示内容をそれぞれ同一のものとしてあるので、一つの情報を表示する際に左右どちら側からでも表示面を展開させることができ、誘導灯や旗などを手にして片手が塞がっている誘導員であっても、空いている側の手を使って表示面を展開することができる。
【００３１】
図７ないし図１０は、この考案の折り畳み式情報標示具の第２の実施例の概要を示す図である。折り畳み式情報標示具Ｓは、第１表示面１ないし第４表示面４を備えている。各表示面１ないし４は、各表示面の見開き状態において左面１１（第１表示面）ないし４１（第４表示面）及び右面１２（第１表示面）ないし４２（第４表示面）で構成されている。そして、各表示面１ないし４は、第１表示面の右面１２の裏面が第２表示面の左面２１に、第２表示面の右面２２が第３表示面の左面３１に、第３表示面の右面３１が第４表示面の左面４１になるようにして連設されており、第１表示面の左面１１の裏面が表紙面Ｆに、第４表示面の右面４２の裏面が裏表紙面Ｒになっている。
上記のように構成された各表示面１ないし４は、各表示面における左右面の境界線１ＣＬないし４ＣＬで谷折りにすることができ、各表示面の左面１１ないし４１と右面１２ないし４２とをそれぞれ重ね合わせることによって、全ての表示面を内側にして左開きの冊子状に折り畳むことができるようになっている。そして、各表示面の左面１１ないし４１の左上角部と右面１２ないし４２の右上角部には係止部材としての面ファスナー１１１ないし４１１及び１２１ないし４２１が設けられ、各表示面の左右面を重ね合わせて折り畳んだときに対向する面ファスナー同士を係止させて折り畳み状態を保持できるようにしてある点は、第１の実施例と同様である。
【００３２】
各表示面１ないし４の側縁に各表示面に表示内容を示すための表示タブ１Ｔないし４Ｔが左右交互にかつ高さを変えて連設されている点、各左面１１ないし４１と各右面１２ないし４２とにそれぞれ情報の一部を表示し、各表示面の見開き状態において左面と右面とで完結した情報が表示されるようにした点も第１の実施例と同様である。
また、裏表紙面Ｒに装着対象へ装着するための係止部材としての面ファスナーＲ１が４つ取り付けられている点、表紙面Ｆの右上角部にも面ファスナーＦ１が取り付けられている点、その他この実施例において特段記載のない構成ならびに装着対象への装着方法は、第１の実施例と同様である。
【００３３】
図９は、この折り畳み式標示具Ｓの第１表示面を展開した状態を、図１０は、同じく第２表示面を展開した状態を、それぞれ示す図である。図７に示す左開きの冊子状の折り畳み状態から、表紙面Ｆを左方へ展開することによって第１表示面を表示することができる。第１表示面は左面１１及び右面１２で構成されており、左面１１の左上角部と右面１２の右上角部には、面ファスナー１１１，１２１がそれぞれ取り付けられている。表示面１には「ＳＴＯＰ」、「止まってください」の文字が大きく表されており、表示面１の左側縁上部には、表示面１の表示内容を「止まって」のように簡潔に表した表示タブ１Ｔが取り付けられている。
【００３４】
第１表示面の展開状態において、他の表示面２ないし４は折り畳まれた状態のままであり、その折り畳み状態は各表示面に設けられた面ファスナー２１１ないし４１１と２２１ないし４２１とが係合して保持されているので、使用者の意図しないところで表示面２ないし４が展開してしまうことはない。
【００３５】
第２表示面を展開する場合には、図７に示す左開きの冊子状の折り畳み状態から、表示タブ２Ｔを持って第２表示面の左面２１を左方へ展開する。第２表示面は左面２１及び右面２２で構成されており、左面２１の左上角部と右面２２の右上角部には、係合部材としての面ファスナー２１１，２２１がそれぞれ取り付けられている。 表示面２には、車両進入禁止の交通標識と「この先車両は入れません」の文字が大きく表されており、表示面２の左側縁上部には、表示面２の表示内容が「この先車」のように簡潔に表された表示タブ２Ｔが取り付けられている。
【００３６】
第２表示面の展開状態において、表示面１は第２表示面の左面２１の裏側において折り畳まれた状態で面ファスナー１１１，１２１によって係合され、表示面３，４は表示面２の右面２２の裏側においてそれぞれ折り畳まれた状態で面ファスナー３１１と３２１、４１１と４２１とが係合して固定されているので、他の表示面１、３，４が不用意に展開してしまうおそれはない。第３表示面及び第４表示面の構成は、表示面に表示される内容を除いて第１表示面及び第２表示面と同様なので説明を省略する。
【００３７】
図１１ないし１３は、この考案の折り畳み式情報標示具の第３の実施例の概要を示す図である。この実施例の折り畳み情報標示具は、第１の実施例の折り畳み式標示具をベースとして、各表示面を構成する面を３面に増やし、各表示面を観音開き状に展開することができるようにしたものである。
【００３８】
折り畳み式情報標示具Ｓは、第１表示面１ないし第６表示面６を備え、各表示面１ないし６は、各表示面の見開き状態においてそれぞれ左面１１ないし６１、右面１２ないし６２、中央面１３ないし６３で構成されている。各表示面１ないし６は、第１表示面の中央面１３の裏面が第２表示面の右面２２に、第２表示面の中央面２３が第３表示面の左面３１に、第３表示面の中央面３３が第４表示面の右面４２に、第４表示面の中央面４３が第５表示面５の左面５１に、第５表示面の中央面５３が第６表示面の右面６２になるようにして連設されており、第１表示面の左面１１の裏面は表紙面Ｆに、第６表示面の中央面６３の裏面は裏表紙面Ｒとなっている。第１表示面の右面１２の裏面１４、第２表示面の左面２１の裏面２４、第３表示面の右面３２の裏面３４、第４表示面の左面４１の裏面４４、第５表示面の右面５２の裏面５４、第６表示面の左面６１の裏面６４の各面は何れも表示面を構成していない。
【００３９】
上記のように構成された各表示面１ないし６は、各表示面の構成面の境界となる左側境界線１ＬＬないし６ＬＬ及び右側境界線１ＲＬないし６ＲＬにおいてそれぞれ谷折りすることができ、表示面１、３，５にあっては各右面１２，３２，５２を各中央面１３，３３，５３に対向させて重ね合わせ、さらにその上から各左面１１，３１，５１を重ね合わせることにより、表示面２，４，６にあっては各左面２１，４１，６１を各中央面２３，４３，６３に対向させて重ね合わせ、さらにその上から各右面２２，４２，６２を重ね合わせることにより、全ての表示面を内側にして各表示面が観音開き状に展開可能な状態としながらつづら折り状に折り畳むことができるようになっている。
【００４０】
各表示面の左面１１ないし６１の左上角部と右面１２ないし６２の右上角部には係止部材としての面ファスナー１１１ないし６１１及び１２１ないし６２１が設けられ、表示面１，３，５においては中央面１３，３３，５３の左上角部に、表示面２，４，６においては中央面２３，４３，６３の右上角部に、それぞれ面ファスナー１３１ないし６３１が設けられている。さらに、表示面１，３，５の右面１２，３２，５２の各裏面１４，３４，５４の右上角部と、表示面２，４，６の左面２１，４１，６１の各裏面２４，４４，６４の左上角部にも係合部材としての面ファスナー１４１ないし６４１が設けられている。そして、各表示面の左右面を中央面側に重ね合わせて折り畳んだときに、対向する面ファスナー同士を係止させることによって、折り畳み状態を保持できるようにしてある。
【００４１】
また、表示面１，３，５の右面１２，３２，５２の各裏面１４，３４，５４及び表示面２，４，６の左面２１，４１，６１の各裏面２４，４４，６４は、各表示部の展開状態において、表紙面Ｆ、裏表紙面Ｒとともに情報標示具Ｓの背面を構成するところ、裏面１４，３４，５４の右上角部と裏面２４，４４，６４の左上角部には、各表示部を展開した状態で装着対象へ装着するための装着部材としての面ファスナー１４２ないし６４２が設けられている。さらに、裏面１４，３４，５４の右側縁上部と裏面２４，４４，６４の左側縁上部には、各裏面を容易に展開にするための摘み１４３ないし６４３が設けられている。
【００４２】
表示面１ないし６を構成する各左面１１ないし６１、各右面１２ないし６２、中央面１３ないし６３にはそれぞれ情報の一部が表示してあり、各表示面をそれぞれ個別に展開して見開き状態にすると、左面と右面と中央面とで完結した情報が表示されるようにしてある。
【００４３】
各表示面の側縁に表示タブ１Ｔないし６Ｔを設けた点、裏表紙面Ｒ及び表紙面Ｆに装着部材としての面ファスナーＲ１，Ｆ１を設けた点、その他この実施例において特段記載のない構成ならびに装着対象への装着方法は第１の実施例と同様である。
【００４４】
図１２は、この折り畳み式標示具Ｓの第１表示面を展開した状態を、図１３は同じく第２表示面を展開した状態を、それぞれ示す図である。図１１に示すつづら折りの折り畳み状態から、表紙面Ｆを左方へ展開し（図中矢示１）、次いで裏面１４を右方へ展開する（図中矢示２）ことにより、第１表示面を表示することができる。第１表示面は左面１１、右面１２、中央面１３で構成されており、左面１１及び中央面１３の左上角部と右面１２の右上角部には、それぞれ係合部材としての面ファスナー１１１，１３１，１２１が取り付けられている。表示面１には「安全にお進みください」という文字が大きく表されており、表示面１の左側縁上部には、表示面１の表示内容を簡潔に示すよう「安全にお」と表示された表示タブ１Ｔが取り付けられている。
【００４５】
第１表示面の展開状態において、他の表示面２ないし６は折り畳まれた状態のままであり、その折り畳み状態は、表示面２においては面ファスナー２３１と２１１並びに面ファスナー２４１と２２１とが、表示面３においては面ファスナー３３１と３２１並びに面ファスナー３４１と３１１とが、表示面４においては面ファスナー４３１と４１１並びに面ファスナー４４１と４２１とが、表示面５においては面ファスナー５３１と５２１並びに面ファスナー５４１と５１１とが、表示面６においては面ファスナー６３１と６１１並びに面ファスナー６４１と６２１とがそれぞれ係合して固定されているので、他の表示面２ないし６が、使用者の意図しないところで展開してしまうおそれがない。
第３表示面及び第５表示面の構成は、表示面に表示される内容を除いて第１表示面と同様なので説明を省略する。
【００４６】
第２表示面を展開する場合には、図１１に示すつづら折りの折り畳み状態から、表示タブ２Ｔを持って折り畳まれた状態の第１表示面そのまま右方へ展開し（図中矢示１）、ついで裏面２４を左方へ展開する（図中矢示２）ことによって、第２表示面を表示することができる。第２表示面は左面２１、右面２２，中央面２３で構成されており、左面２１の左上角部と、中央面２３及び右面２２の右上角部には、面ファスナー２１１，２３１，２２１がそれぞれ取り付けられている。表示面２には「危険！止まってください」の文字が大きく表されており、表示面２の右側縁上部には、表示面２の表示内容を簡潔に示すよう「危険止ま」の文字が表示された表示タブ２Ｔが取り付けられている。
【００４７】
第２表示面の展開状態において、表示面１は第２表示面の右面２２の裏側において折り畳まれ面ファスナー１２１と１３１，１４１と１１１とで係合して固定されており、表示面３ないし６は表示面２の中央面２３の裏側において折り畳まれた状態で、表示面３においては面ファスナー３２１と３３１並びに面ファスナー３４１と３１１とが、表示面５においては面ファスナー５２１と５３１並びに面ファスナー５４１と５１１とが、表示面４においては面ファスナー４３１と４１１並びに４４１と４２１とが、表示面６においては面ファスナー６３１と６１１並びに６４１と６２１とが、それぞれ係合して固定されているので、表示面１及び表示面３ないし６が、不用意に展開してしまうおそれがない。
第４表示面及び第６表示面の構成は、表示面に表示される内容を除いて第１表示面と同様なので説明を省略する。
【００４８】
図１４ないし１６は、この考案の折り畳み式情報標示具の第４の実施例の概要を示す図である。この実施例の折り畳み情報標示具は、第２の実施例の折り畳み式標示具をベースとして、各表示面を構成する面を３面に増やし、各表示面を観音開き状に展開することができるようにしたものである。
【００４９】
折り畳み式情報標示具Ｓの表示面１ないし４は、各表示面の見開き状態において左面１１ないし４１、右面１２ないし４２、中央面１３ないし４３で構成されている。そして、各表示面１ないし４は、第１表示面の中央面１３の裏面が第２表示面の左面２１に、第２表示面の中央面２３が第３表示面の左面３１に、第３表示面の中央面３３が第４表示面の左面４１になるようにして連設されており、第１表示面の左面１１の裏面が表紙面Ｆに、第４表示面の中央面４３の裏面が裏表紙面Ｒとなっている。各表示面の右面１２ないし４２の裏面１４ないし４４は、何れも表示面を構成していない。上記のように構成された各表示面１ないし４は、各表示面の構成面の境界となる左側境界線１ＬＬないし４ＬＬ及び右側境界線１ＲＬないし４ＲＬにおいてそれぞれ谷折りすることができ、各右面１２ないし４２を各中央面１３ないし４３に対向させて重ね合わせ、その上から各左面１１ないし４１を重ね合わせることにより、全ての表示面を内側にして各表示面が観音開き状に展開可能な、左開きの冊子状に折り畳むことができるようになっている。
【００５０】
各表示面の左面１１ないし４１並びに中央面１３ないし４３の左上角部と右面１２ないし４２の右上角部には、係止部材としての面ファスナー１１１ないし４１１、１３１ないし４３１、１２１ないし４２１が設けられている。さらに、各表示面の右面１２ないし４２の各裏面１４ないし４４の右上角部にも係合部材としての面ファスナー１４１ないし４４１が設けられている。そして、各表示面の左右面を中央面側に重ね合わせて折り畳んだときに、対向する面ファスナー同士を係止させることによって、折り畳み状態が保持されるようになっている。
【００５１】
また、各表示面の右面１２ないし４２の各裏面１４ないし４４は、各表示部の展開状態において、表紙面Ｆ、裏表紙面Ｒとともに標示具Ｓの背面を構成するところ、各裏面１４ないし４４の左上角部には、各表示部を展開した状態で装着対象へ装着するための装着部材としての面ファスナー１４２ないし４４２が設けられている。
さらに、裏面１４ないし４４の左側縁上部には、各裏面を容易に展開にするための摘み１４３ないし４４３が設けられている。
【００５２】
表示面１ないし４を構成する各左面１１ないし４１、各右面１２ないし４２、中央面１３ないし４３にはそれぞれ情報の一部が表示してあり、各表示面をそれぞれ個別に展開して見開き状態にすると、左面と右面と中央面とで完結した情報が表示されるようにしてある。
【００５３】
各表示面の側縁に表示タブ１Ｔないし４Ｔを設けた点、裏表紙面Ｒ及び表紙面Ｆに装着部材としての面ファスナーＲ１，Ｆ１を設けた点、その他この実施例において特段記載のない構成ならびに装着対象への装着方法は第２の実施例と同様である。
【００５４】
図１５は、この折り畳み式標示具Ｓの第１表示面を展開した状態を、図１６は同じく第２表示面を展開した状態を、それぞれ示す図である。図１４に示す左開きの冊子状の折り畳み状態から、表紙面Ｆを左方へ展開し（図中矢示１）、次いで裏面１４を右方へ展開する（図中矢示２）ことにより、第１表示面を表示することができる。第１表示面は左面１１、右面１２、中央面１３で構成されており、左面１１及び中央面１３の左上角部と右面１２の右上角部には、それぞれ面ファスナー１１１，１３１，１２１が取り付けられている。表示面１には「安全にお進みください」という文字が大きく表されており、表示面１の左側縁上部には、表示面１の表示内容を簡潔に示すよう「安全にお」と表示された表示タブ１Ｔが取り付けられている。
【００５５】
第１表示面の展開状態において、他の表示面２ないし４は折り畳まれた状態のままであり、その折り畳み状態は、表示面２において面ファスナー２３１と２２１並びに面ファスナー２４１と２１１とが、表示面３において面ファスナー３３１と３２１並びに面ファスナー３４１と３１１とが、表示面４において面ファスナー４３１と４２１並びに面ファスナー４４１と４１１１とが、それぞれ係合して固定されているので、他の表示面２ないし４が、使用者の意図しないところで展開してしまうおそれがない。
【００５６】
第２表示面を展開する場合には、図１４に示す折り畳み状態から、表示タブ２Ｔを持って折り畳まれた状態の第１表示面をそのまま左方へ展開し（図中矢示１）、ついで裏面２４を右方へ展開する（図中矢示２）。第２表示面の面構成は第１表示面と同様であり、左面２１、右面２２，中央面２３で構成され、左面２１及び中央面２３の左上角部と右面２２の右上角部に、面ファスナー２１１，２３１，２２１がそれぞれ取り付けられている。
表示面２には「危険！止まってください」の文字が大きく表されており、表示面２の左側縁上部には、表示面２の表示内容を簡潔に示す「危険止まれ」の文字が表示された表示タブ２Ｔが、表示タブ１Ｔと重ならないように高さをずらして取り付けられている。
【００５７】
第２表示面の展開状態において、表示面１は第２表示面の左面２１の裏側において折り畳まれた状態で面ファスナー１３１と１２１並びに面ファスナー１４１と１１１とが係合して固定されており、表示面３及び４は表示面２の中央面２３の裏側において折り畳まれた状態で、表示面３において面ファスナー３３１と３２１並びに面ファスナー３４１と３１１とが、表示面４において面ファスナー４３１と４２１並びに面ファスナー４４１と４１１とが、それぞれ係合して固定されているので、表示面１，３，４が不用意に展開してしまうおそれがない。第３表示面及び第４表示面の構成は、表示面に表示される内容を除いて第１表示面及び第２表示面と同様なので説明を省略する。
【００５８】
図１７及び図１８は、この考案の折り畳み式情報標示具の第５の実施例の概要を示す図である。この実施例の折り畳み情報標示具は、第１の実施例の折り畳み式標示具をベースとし、裏表紙面Ｒに備える装着手段として面ファスナーの代わりに紐Ｈを用い、情報標示具Ｓをエプロン状に構成したものである。この実施例においては、情報表示具Ｓの裏表紙面Ｒの両側縁上部に紐Ｈが取り付けられている点以外は、実施例１の構成と同じである。
この実施例によれば、図１８に示すように、紐Ｈを用いてエプロンを着用するように情報標示具Ｓを使用者の腰に巻き付けることができる。各表示面の展開及び折り畳み方法は、実施例１と同様である。
【産業上の利用可能性】
【００５９】
この考案は、工事現場などで、工事案内、誘導案内、注意喚起などの目的で各種情報を標示するために使用される情報標示具に関するものであり、産業上の利用可能性を有するものである。
【符号の説明】
【００６０】
図中、１は第１表示面、２は第２表示面、１１，２１，３１，４１，５１，６１は左面、１２，２２，３２，４２，５２，６２は右面、１３，２３，３３，４３，５３，６３ は中央面、１４、２４，３４，４４，５４，６４は裏面、１１１，２１１，３１１，４１１，５１１，６１１は左面の係合部材（面ファスナー）、１２１，２２１，３２１，４２１，５２１，６２１は右面の係合部材（面ファスナー）、１３１，２３１，３３１，４３１，５３１，６３１は中央面の係合部材（面ファスナー）、１４１，２４１，３４１，４４１，５４１，６４１は裏面の係合部材（面ファスナー）、１４２，２４２，３４２，４４２，５４２，６４２は装着部材(面ファスナー）、１４３，２４３，３４３，４４３，５４３，６４３は摘み、１Ｔ，２Ｔ，３Ｔ，４Ｔ，５Ｔ，６Ｔは表示タブ、１ＣＬ，２ＣＬは中央境界線、１ＬＬ，２ＬＬは左側境界線、１ＲＬ，２ＲＬは右側境界線、Ｆは表紙面、Ｒは裏表紙面、Ｆ１，Ｒ１は装着部材（面ファスナー）、Ｈは装着部材（紐）、Ｋ はスタンド式看板、Ｃは衣服、Ｓは折り畳み式情報標示具を示す。
【図１】
0003195234.tif 000003
【図２】
0003195234.tif 000004
【図３】
0003195234.tif 000005
【図４】
0003195234.tif 000006
【図５】
0003195234.tif 000007
【図６】
0003195234.tif 000008
【図７】
0003195234.tif 000009
【図８】
0003195234.tif 000010
【図９】
0003195234.tif 000011
【図１０】
0003195234.tif 000012
【図１１】
0003195234.tif 000013
【図１２】
0003195234.tif 000014
【図１３】
0003195234.tif 000015
【図１４】
0003195234.tif 000016
【図１５】
0003195234.tif 000017
【図１６】
0003195234.tif 000018
【図１７】
0003195234.tif 000019
【図１８】
0003195234.tif 000020